(57)【要約】【課題】軽妙な風などによって揺れ動くように構成し、見る者に興味を持たせると共に室内外オブジェとしても楽しむことができるバランス置物を提供する。【解決手段】支柱１ａを立設した支持台１と、該支柱１ａの上端に揺動自在に支承された複数段のユニットＡ、Ｂ、Ｃからなり、該ユニットは支持軸２Ａ、２Ｂ、２Ｃと、該支持軸から側方に突設し風受け重り板５Ａ、５Ｂ、５Ｃ、６Ａ、６Ｂ、６Ｃを固定したアーム３Ａ、３Ｂ、３Ｃ、４Ａ、４Ｂ、４Ｃと、前記支持軸２Ａ、２Ｂ、２Ｃの下端に設けられ前記支柱の上端又は下位のユニット支持軸２Ａ、２Ｂの上端に揺動自在に載置支持される受け体７Ａ、７Ｂ、７Ｃとから構成される。【選択図】図１
0003123543.tif 000002
【実用新案登録請求の範囲】
【請求項１】
支柱を立設した支持台と、該支柱の上端に揺動自在に支承された複数段のユニットからなり、該ユニットは支持軸と該支持軸から側方に突設し風受け重り板を固定したアームと、前記支持軸の下端に設けられ前記支柱の上端又は下位のユニットの支持軸の上端に揺動自在に載置支持される受け体とからなることを特徴とするバランス置物。
【請求項２】
各ユニットにおいて、前記アームは前記支持軸より左右対となって側方に突設すると共に、これらアームに固定された前記風受け重り板は前記受け体より下方に位置されていることを特徴とする請求項１に記載のバランス置物。
【請求項３】
最上位のユニットの支持軸の上端に風受け板を設けたことを特徴とする請求項１又は請求項２に記載のバランス置物。
【請求項４】
前記受け体は前記支柱又は前記支持軸の上端の接触面が円錐状又は略半円球状の凹面に形成されていることを特徴とする請求項１乃至請求項３のいずれか１に記載のバランス置物。
【請求項５】
支柱を立設した支柱台と、該支柱の上端に揺動自在に支承された複数段のユニットからなり、該ユニットは中央板と該中央板の側方に設けた風受け重り板と、前記中央板の下方に設けられ前記支柱の上端又は下位のユニットの中央板の上部に揺動自在に載置支持される受け体とからなることを特徴とするバランス置物。
【請求項６】
各ユニットにおいて、前記風受け重り板は前記中央板に対となって側方に固定されていると共に、前記風受け重り板の重心が前記受け体より下方に位置されていることを特徴とする請求項５に記載のバランス置物。
【請求項７】
前記受け体は前記支柱又は前記中央板の上部の接触面が円錐状又は略半円球状の凹面に形成されていることを特徴とする請求項５又は請求項６に記載のバランス置物。
【考案の詳細な説明】
【技術分野】
【０００１】
本考案は、インテリアや玩具又は屋外の展示物としても提供できる置物に関し、特に、風の動きに対しても揺動して、その動きを見て楽しむことができるようにしたバランス置物に関する。
【背景技術】
【０００２】
従来、この種の置物として、複数の重量感のある略Ｕ字型のバランスブロックユニットを揺動可能なように支持軸上に重ねたバランスブロックが（特許文献１）、また、多数の類似するやじろべいを多重化して構成したバランス玩具も知られている（特許文献２）。
【特許文献１】特開２００１−１３７５６０号公報
【特許文献２】実開昭５７−１３６３９９号公報
【考案の開示】
【考案が解決しようとする課題】
【０００３】
しかしながら、前記従来のバランス置物では、人の力により動くようになっており、その動きが主として回転のみであって動きに変化が乏しく興味を引かせるには十分ではないという問題があった。
【０００４】
本考案は前記従来の課題を解決し、風などによって揺動し、しかも変化に富んだ動きが得られるように構成したバランス置物を提供することを目的とする。
【課題を解決するための手段】
【０００５】
前記目的を達成するために本考案は、支柱を立設した支持台と、該支柱の上端に揺動自在に支承された複数段のユニットからなり、該ユニットは支持軸と該支持軸から側方に突設し風受け重り板を固定したアームと、前記支持軸の下端に設けられ前記支柱の上端又は下位のユニットの支持軸の上端に揺動自在に載置支持される受け体とからなる。
【考案の効果】
【０００６】
本考案によれば、複数段のユニットは揺動自在に支持され、風受け重り板において風を受けて回転するようにしたので、風を受けて各ユニットが相互に変化に富んだ複雑な動きをして意匠的効果が格段に向上する。
【考案を実施するための最良の形態】
【０００７】
本考案を実施するための最良の形態の実施例を以下に説明する。
【実施例１】
【０００８】
図１及び図２に従って本考案の１実施例を説明する。
【０００９】
１は支持台を示し、該支持台１の上面の中央部から支柱１ａを立設し、該支柱１ａの上端に、複数段の本実施例では３段のユニットＡ、Ｂ、Ｃが順次揺動自在に支持されている。
【００１０】
下段のユニットＡは支持軸２Ａと、該支持軸２Ａの下方部から左右の斜下方に延びるように突設したアーム３Ａ、４Ａと、これらアーム３Ａ、４Ａの先端にそれぞれ固定した風受け重り板５Ａ、６Ａと、前記支持軸２Ａの下端に固定した円錐板状体の受け体７Ａとからなり、該受け体７Ａの内面の円錐状の凹面８Ａが図２の如く前記支柱１ａの上端の湾曲状の接触面１ｂに当接している。
【００１１】
ここで、前記支持軸２Ａは多数のＳ字状に曲折形成され、一方のアーム３Ａはクランク状に曲折形成されていると共に他方のアーム４Ａは直線状に形成され、更に前記アーム３Ａに固定の風受け重り板５Ａは正方形の板により、又前記アーム４Ａに固定の風受け重り板６Ａは円形の板によりそれぞれ形成され、これら風受け重り板５Ａ、６Ａは前記受け体７Ａより下方に位置させて前記アーム３Ａ、４Ａにそれぞれ固定されている。
【００１２】
中段のユニットＢは、支持軸２Ｂと左右のアーム３Ｂ、４Ｂと、風受け重り板５Ｂ、６Ｂと、受け体７Ｂとにより前記下段のユニットＡと同様に形成され、そして前記受け体７Ｂの内面の円錐状の凹面が前記下段のユニットＡの支持軸２Ａの上端の湾曲状の接触面に当接している。
【００１３】
ここで、前記支持軸２Ｂはクランク状に曲折形成され、又一方のアーム３Ｂは直線状に形成されていると共に他方のアーム４Ｂはクランク状に曲折形成され、更に前記アーム３Ｂに固定の風受け重り板５Ｂは三角形の板により、又前記アーム４Ｂに固定の風受け重り板６Ｂは正方形の板によりそれぞれ形成され、これら風受け重り板５Ｂ、６Ｂは前記受け体７Ｂより下方に位置させて前記アーム３Ｂ、４Ｂにそれぞれ固定されている。
【００１４】
上段のユニットＣは、支持軸２Ｃと左右のアーム３Ｃ、４Ｃと、風受け重り板５Ｃ、６Ｃと、受け体７Ｃとにより下段のユニットＡ及び中段のユニットＢと同様に形成され、そして前記受け体７Ｃの内面の円錐状の凹面が前記中段のユニットＢの支持軸２Ｂの上端の湾曲状の接触面に当接している。
【００１５】
ここで、前記支持軸２Ｃはジグザグ状に曲折形成され、又、一方のアーム３Ｃ及び他方のアーム４Ｃも共に直線状に形成され、更に、前記アーム３Ｃの固定の風受け重り板５Ｃは菱形の板により、又前記アーム４Ｃに固定の風受け重り板６Ｃは長方形の板によりそれぞれ形成され、これら風受け重り板５Ｃ、６Ｃは前記受け体７Ｃより下方に位置させて前記アーム３Ｃ、４Ｃにそれぞれ固定されている。
【００１６】
又、前記上段のユニットＣはその支持軸２Ｃの上端に円形の板からなる風受け板８Ｃが固定されている。
【００１７】
尚、上段のユニットＣ、中段のユニットＢ及び下段のユニットＡのいずれにおいても各支持軸のアームとこれに固定されている風受け重り板が支持軸を中間にして左右において重量バランスがとれている。
【００１８】
このように構成された本考案のバランス置物は、各ユニットが独立して揺動自在であり、風などによって複雑な動きをすることができる。
【００１９】
すなわち、ユニットＡでは左右の風受け重り板５Ａ、６Ａの表面積を変えて、例えば左側の風受け重り板５Ａの表面積を右側の風受け重り板６Ａよりも大きくすることで、風による力を風受け重り板５Ａがより大きく受けるため傾きながら回転が持続される。
【００２０】
また、アーム３Ａとアーム４Ａの支持軸２Ａへの固定位置を変えることで、回転に従って傾きながら回転させることも可能である。
【００２１】
ユニットＢもユニットＡと同様に回転が可能であるが、右側の風受け重り板６Ｂの表面積を左側の風受け重り板５Ｂよりも大きくすれば、ユニットＡとは反対方向に傾きながら回転させることができる。
【００２２】
また、ユニットＡと同様にアーム３Ｂとアーム４Ｂの支持軸２Ｂへの固定位置を変えることで、回転に従って傾きながら回転させることが可能である。
【００２３】
上段のユニットＣは、左右の風受け重り板５Ｃ、６Ｃの表面積を同一として回転をさせないようにしながら主に風受け板８Ｃで受けた風によって前後方向にのみ揺動し、全体として例えばハワイのフラダンスの腰をふりながらの踊りのような動きをする。
【００２４】
そして、これら各ユニットＡ、Ｂ、Ｃのいずれも左右対の風受け重り板が受け体の支点の位置より下方に位置しているので、傾いても直立方向に復元する作用をする。
【００２５】
尚、上段のユニットＣの左右の風受け重り板５Ｃ、６Ｃの表面積を異ならして回転するようにしてもよい。
【００２６】
また、各ユニットＡ、Ｂ、Ｃは円錐状の受け体７Ａ、７Ｂ、７Ｃを介して支持台１及び他のユニットと連結されており、各ユニットの揺動できる範囲は、円錐状の立体角を調整することで制限することが可能である。
【実施例２】
【００２７】
図３は、前記実施例１の支持軸及びアームと風受け重り板を平面板で構成し、風の影響をより多く受けるようにした他の実施例を示す。
【００２８】
支持台１０の中央部に立設した支柱１０ｄの上端には、３段のユニットＤ、Ｅ、Ｆが順次揺動自在に支持されている。
【００２９】
下段のユニットＤは、中央板１１Ｄと中央板１１Ｄの側方に設けた風受け重り板１２Ｄ、１３Ｄ及び中央板１１Ｄの下方に設けられ支柱１０ｄの上端に揺動自在に載置支持される受け体１４Ｄから構成されている。
【００３０】
ここで、中央板１１Ｄと風受け重り板１２Ｄ、１３Ｄは平面板で構成し、中央板１１Ｄは四角形の形状、風受け重り板１２Ｄ、１３Ｄは三角形の形状に形成されている。
【００３１】
中段のユニットＥ及び上段のユニットＦも下段のユニットＤと同様に、中央板１１Ｅ、１５Ｆと風受け重り板１２Ｅ、１３Ｅ、１２Ｆ、１３Ｆの平面板で構成され、中央板１１Ｅは四角形の形状、中央板１５Ｆは三角形の形状、風受け重り板１２Ｅ、１３Ｅ、１２Ｆ、１３Ｆは三角形の形状に形成されている。
【００３２】
これらのユニットＥ、Ｆは、それぞれ下位のユニットの中央板の上部に受け体１４Ｅ、１４Ｆを介して揺動自在に載置支持されている。
【００３３】
各ユニットの風受け重り板は、中央板に対して対となって側方に固定されており、平面板の各面の方向を変えることによって異なった方向からの風の影響を受けることができる。
【００３４】
また、風受け重り板の重心の位置は、受け体よりも下方に位置させることで、各ユニットのバランスを保っている。
【００３５】
各ユニットの受け体１４Ｄ、１４Ｅ、１４Ｆは、前記の実施例１と同様の形状であり、支柱１０ｄ又は中央板１１Ｄ、１１Ｅの上部と円錐状又は略半円球状の接触面を形成している。
【００３６】
本考案のバランス置物は、前記の各実施例の構成に限定されるものではなく、ユニットの段数を３段以外の複数段にしてもよく、また、各ユニットの風受け重り板、風受け板、支持軸の形状を任意に変更できるものであり、また、風受け重り板や風受け板に色彩を施すなどすれば、一層デザインとしての価値を高めることができる。
【産業上の利用可能性】
【００３７】
本考案のバランス置物は、小型のものは一般住宅やオフィス内のインテリア・オブジェとして、大型のものは、公共施設などのロビーや屋外の広場、公園などに設置して娯楽用品として提供できるものである。
【００３８】
また、見る者の視覚に訴えて美観を生じさせることから、意匠的な創作物としての価値も有するものである。
【図面の簡単な説明】
【００３９】
【図１】本考案の一実施例を示すバランス置物の正面図である。
【図２】下段ユニットの受け体の支承状態を示す断面図である。
【図３】本考案の他の実施例を示すバランス置物の正面図である。
【符号の説明】
【００４０】
１                                  支持台
１ａ                                支柱
２Ａ、２Ｂ、２Ｃ                    支持軸
３Ａ、３Ｂ、３Ｃ、４Ａ、４Ｂ、４Ｃ  アーム
５Ａ、５Ｂ、５Ｃ、６Ａ、６Ｂ、６Ｃ  風受け重り板
７Ａ、７Ｂ、７Ｃ                    受け体
８Ｃ                                風受け板
Ａ、Ｂ、Ｃ                          ユニット
【図１】
0003123543.tif 000003
【図２】
0003123543.tif 000004
【図３】
0003123543.tif 000005